(57)【要約】【課題】引戸ガイド装置において、戸当りの出っ張りが室内の美的外観を阻害することがなく、引戸周りの見栄えを良好にする。【解決手段】引戸ガイド装置Ｇは、ガイド本体２０を全閉状態でも引戸１１が常に重なる戸袋壁１０ｃの下部に付設する一方、弾性当接材３０・３１をガイド溝１２内の戸先側と戸尻側に固設し、ガイド本体のアングル板３５には、ガイド板部の両側縁に戸当り４５・５０を突設し、開時、ガイド溝に係合したガイドローラ３７で引戸の下部側が横振れしないように案内し、全開すると、走行ガイド１５は、戸先側の弾性当接材がガイド本体の戸先側戸当りに当たって引戸を停止し、全開位置に位置決めする一方、閉時は、ガイドローラで引戸の下部側が横振れしないように案内し、全閉すると、戸尻側の弾性当接材がガイド本体の戸尻側戸当りに当たって引戸を停止し、全閉位置に位置決めする。【選択図】          図１
2012246719.tif 000002
【特許請求の範囲】
【請求項１】
下端部にガイド溝を長さ方向に凹設した引戸を開閉方向にスライド自在に上吊りし、前記ガイド溝に走行ガイドを係合して開閉時に引戸の下部側が横振れしないように案内する引戸ガイド装置であって、
前記走行ガイドは、全閉状態でも引戸が常に重なる戸袋壁の下部に付設するガイド本体と、前記ガイド溝内の閉方向戸先側と戸尻側のいずれか一方又は双方に固設する弾性当接材とを備え、
前記ガイド本体は、前記戸袋壁の下部に固定する取付板部と、該取付板部の下端縁から直角に突出するガイド板部からなるアングル板と、前記ガイド溝に係合させるガイドローラを先端軸部に回転自在に軸着する一方、基端軸部を前記ガイド板部に設けた軸受穴に嵌着させて前記ガイド板部上に立脚するガイド軸とを有し、
前記アングル板には、前記ガイド板部の両側縁のいずれか一方又は双方に戸当りを突設し、開閉時に該戸当りに前記弾性当接材が当って引戸を停止させてなることを特徴とする引戸ガイド装置。
【請求項２】
前記アングル板は、前記ガイド板部に複数の前記軸受穴を突出方向に連設して互いに連通するアジャスト穴を形成し、引戸の戸厚に応じて前記ガイド軸の立脚位置を開閉方向と直交する向きに移動調整可能としてなることを特徴とする、請求項１に記載の引戸ガイド装置。
【請求項３】
それぞれ下端部にガイド溝を長さ方向に凹設した外扉と内扉からなる連動引戸を、開閉方向にスライド自在に上吊りすると共に横に重ねて配列する一方、前記ガイド溝に走行ガイドを係合して連動引戸の下部側が横振れしないように案内し、手前側の外扉をスライドさせると、隣接する奥側の内扉が遅れて順次連動して開口部を開閉する引戸ガイド装置であって、
外扉を案内する前記走行ガイドは、全閉位置にある外扉が重なる内扉の戸先側下部に付設するガイド本体と、外扉の前記ガイド溝内の閉方向戸先側と戸尻側に固設する弾性当接材とを備え、
前記ガイド本体は、内扉の戸先側下部に固定する取付板部と、該取付板部の下端縁から直角に突出するガイド板部からなるアングル板と、前記ガイド溝に係合させるガイドローラを先端軸部に回転自在に軸着する一方、基端軸部を前記ガイド板部に設けた軸受穴に嵌着させて前記ガイド板部上に立脚するガイド軸とを有し、
前記アングル板には、前記ガイド板部の両側縁に戸当りを突設し、開閉時に外扉をスライドさせると該戸当りに前記弾性当接材が当って外扉に内扉を連動させてなることを特徴とする引戸ガイド装置。
【請求項４】
前記アングル板は、前記ガイド板部に複数の前記軸受穴を突出方向に連設して互いに連通するアジャスト穴を形成し、外扉の扉厚に応じて前記ガイド軸の立脚位置を開閉方向と直交する向きに移動調整可能としてなることを特徴とする、請求項３に記載の引戸ガイド装置。
【発明の詳細な説明】
【技術分野】
【０００１】
本発明は、上吊り引戸の下端部に凹設したガイド溝に走行ガイドを係合して引戸の下部が横振れしないように案内する引戸ガイド装置に関する。
【背景技術】
【０００２】
最近、建物内を介護に適した構造にリフォームする場合には、既存の各種扉の中で、回動開閉式の開き戸は取り外し、要介護者に優しいスライド開閉式の引戸に付け替える改造を行うことが多い。
【０００３】
従来、このように開き戸を引戸に付け替える場合、引戸は、既存の戸枠の外側に重ねて、開口部と戸袋壁に沿って開閉方向にスライド自在に取り付けている。そのため、引戸が往復移動する軌道の上にあって戸先側と戸尻側に戸当りを戸袋壁や引戸板面に突設し、開口部を全閉した閉位置と全開した開位置において、この戸当りに引戸を当てて停止し、引戸の開閉ストロークを所定長さに制御している。
【先行技術文献】
【特許文献】
【０００４】
【特許文献１】特開２００６−３２２２４７号公報
【発明の概要】
【発明が解決しようとする課題】
【０００５】
ところが、従来のように戸当りを戸袋壁や引戸板面に取り付けると、その出っ張りが目立ち、引戸周りの見栄えが悪化して室内の美的外観を阻害するという課題があった。
【課題を解決するための手段】
【０００６】
そこで、上記した課題を解決すべく、請求項１に記載の発明は、たとえば以下に示す図示実施の形態のとおり、下端部にガイド溝１２を長さ方向に凹設した引戸１１を開閉方向にスライド自在に上吊りし、前記ガイド溝１２に走行ガイド１５を係合して開閉時に引戸１１の下部側が横振れしないように案内する引戸ガイド装置Ｇであって、前記走行ガイド１５は、全閉状態でも引戸１１が常に重なる戸袋壁１０ｃの下部に付設するガイド本体２０と、前記ガイド溝１２内の閉方向戸先側と戸尻側のいずれか一方又は双方に固設する弾性当接材３０・３１とを備え、前記ガイド本体２０は、前記戸袋壁１０ｃの下部に固定する取付板部３５ａと、該取付板部３５ａの下端縁から直角に突出するガイド板部３５ｂからなるアングル板３５と、前記ガイド溝１２に係合させるガイドローラ３７を先端軸部に回転自在に軸着する一方、基端軸部３６ａを前記ガイド板部３５ｂに設けた軸受穴２９ａ・２９ｂに嵌着させて前記ガイド板部３５ｂ上に立脚するガイド軸４０とを有し、前記アングル板３５には、前記ガイド板部３５ｂの両側縁のいずれか一方又は双方に戸当り４５・５０を突設し、開閉時に該戸当り４５・５０に前記弾性当接材３０・３１が当って引戸１１を停止させてなることを特徴とする。
【０００７】
請求項２に記載の発明は、請求項１に記載の引戸ガイド装置Ｇにおいて、たとえば以下に示す図示実施の形態のとおり、前記アングル板３５は、前記ガイド板部３５ｂに複数の前記軸受穴２９ａ・２９ｂを突出方向に連設して互いに連通するアジャスト穴２９を形成し、引戸１１の戸厚に応じて前記ガイド軸４０の立脚位置を開閉方向と直交する向きに移動調整可能としてなることを特徴とする。
【０００８】
請求項３に記載の発明は、たとえば以下に示す図示実施の形態のとおり、それぞれ下端部にガイド溝５５を長さ方向に凹設した外扉Ａと内扉Ｂからなる連動引戸２２を、開閉方向にスライド自在に上吊りすると共に横に重ねて配列する一方、前記ガイド溝に走行ガイドを係合して連動引戸２２の下部側が横振れしないように案内し、手前側の外扉Ａをスライドさせると、隣接する奥側の内扉Ｂが遅れて順次連動して開口部Ｓを開閉する引戸ガイド装置Ｇ´であって、外扉Ａの前記走行ガイド１５は、全閉位置にある外扉Ａが重なる内扉Ｂの戸先側下部に付設するガイド本体２０と、外扉Ａの前記ガイド溝５５内の閉方向戸先側と戸尻側に固設する弾性当接材４５・５０とを備え、前記ガイド本体２０は、内扉Ｂの戸先側下部に固定する取付板部３５ａと、該取付板部３５ａの下端縁から直角に突出するガイド板部３５ｂからなるアングル板３５と、前記ガイド溝５５に係合させるガイドローラ３７を先端軸部に回転自在に軸着する一方、基端軸部３６ａを前記ガイド板部３５ｂに設けた軸受穴２９ａ・２９ｂに嵌着させて前記ガイド板部３５ｂ上に立脚するガイド軸４０とを有し、前記アングル板３５には、前記ガイド板部３５ｂの両側縁に戸当り３０・３１を突設し、開閉時に外扉Ａをスライドさせると該戸当り３０・３１に前記弾性当接材４５・５０が当って外扉Ａに内扉Ｂを連動させてなることを特徴とする。
【０００９】
請求項４に記載の発明は、請求項３に記載の引戸ガイド装置Ｇ´において、たとえば以下に示す図示実施の形態のとおり、前記アングル板３５は、前記ガイド板部３５ｂに複数の前記軸受穴２９ａ・２９ｂを突出方向に連設して互いに連通するアジャスト穴２９を形成し、外扉Ａの扉厚に応じて前記ガイド軸４０の立脚位置を開閉方向と直交する向きに移動調整可能としてなることを特徴とする。
【発明の効果】
【００１０】
請求項１に記載の発明によれば、引戸の吊り込み状態において、全閉状態にあっても、走行ガイドのガイド本体が引戸に覆い重なって目隠しされ、弾性当接材はガイド溝内に固設し、結局、戸当りに必要な見栄えの悪い出っ張りがいっさい外部から見えない構成であるため、従来のように戸当りの出っ張りが室内の美的外観を阻害することがなく、引戸周りの見栄えを良好にすることができる。しかも、引戸が常に覆い重なる戸袋壁の下部に取り付けた走行ガイドのガイドローラで引戸の下部側が横振れしないように案内しながら、ガイド本体に突設した戸当りにガイド溝内に固設した弾性当接材を当てて引戸の開閉ストロークを所定長さに制御し、これにより、引戸周りの見栄えを悪化させることなく、戸当り機能をも併せて発揮することができる。
【００１１】
請求項２に記載の発明によれば、引戸の戸厚に応じてガイド軸の立脚位置を開閉方向と直交する向きに移動調整することにより、引戸を戸袋壁との間のチリ寸法を所定の適切な範囲に保持して吊り込むことができる。
【００１２】
請求項３に記載の発明によれば、連動引戸の吊り込み状態において、連動引戸が全閉状態にあっても、走行ガイドのガイド本体は外扉に覆い重なって目隠しされ、弾性当接材はガイド溝内に固設し、連動機構に必要な見栄えの悪い戸当りの出っ張りがいっさい外部から見えない構成であるため、連動機構の戸当りの出っ張りが室内の美的外観を阻害することがなく、連動式の引戸周りの見栄えを良好にすることができる。
【００１３】
請求項４に記載の発明によれば、外扉の扉厚に応じてガイド軸の立脚位置を開閉方向と直交する向き移動調整することにより、外扉を内扉との間のチリ寸法を、常に所定の適切な範囲に保持して吊り込むことができる。
【図面の簡単な説明】
【００１４】
【図１】（Ａ）本発明の一例である引戸ガイド装置を適用した引戸構造体を全開状態で示す正面図、（Ｂ）引戸の下部側を拡大して示す正面図である。
【図２】引戸ガイド装置の主要構成部品を示す分解斜視図である。
【図３】走行ガイドのガイド本体を示す側面図である。
【図４】（Ａ）走行ガイドのガイド本体を示す正面図、（Ｂ）平面図である。
【図５】（Ａ）走行ガイドのガイド本体を、ガイド軸を第１軸受穴に軸着した状態で示す斜視図、（Ｂ）ガイド軸を第２軸受穴に軸着した状態で示す斜視図である。
【図６】（Ａ）走行ガイドのガイド本体を、ガイド軸を第１軸受穴に軸着した状態で示す側面図、（Ｂ）ガイド軸を第１軸受穴に軸着した状態で示す平面図である。
【図７】（Ａ）走行ガイドのガイド本体を、ガイド軸を第２軸受穴に軸着した状態で示す側面図、（Ｂ）ガイド軸を第２軸受穴に軸着した状態で示す平面図である。
【図８】引戸ガイド装置を適用した引戸構造体を全閉状態で示す正面図である。
【図９】図８の引戸の下部側を拡大して示す部分正面図である。
【図１０】（Ａ）本発明の他例である引戸ガイド装置を適用した連動引戸構造体を全開状態で示す正面図、（Ｂ）平面図である。
【図１１】連動引戸構造体を外扉が閉止途中の状態で示す正面図、（Ｂ）平面図である。
【図１２】連動引戸構造体を、外扉が内扉を引き連れる状態で示す正面図、（Ｂ）平面図である。
【図１３】連動引戸構造体を、外扉に内扉を連動して閉止す途中の状態で示す正面図、（Ｂ）平面図である。
【図１４】連動引戸構造体を外扉と内扉の連動引戸で全閉した状態で示す正面図、（Ｂ）平面図である。
【図１５】連動引戸構造体を外扉を引いて再び開く状態で示す正面図、（Ｂ）平面図である。
【図１６】連動引戸構造体を外扉に内扉が押されて連動する状態で示す正面図、（Ｂ）平面図である。
【図１７】連動引戸構造体を外扉と内扉とが連動して開く途中の状態で示す正面図、（Ｂ）平面図である。
【発明を実施するための形態】
【００１５】
以下、図面を参照しつつ、本発明の実施の最良形態について説明する。
【００１６】
図１に本発明の一例である引戸ガイド装置を適用した引戸構造体を引戸の全開状態で示し、図２に引戸ガイド装置を示す。図示例の引戸構造体は、床Ｆ上に立設した上枠部１０ａと縦枠部１０ｂと戸袋壁１０ｃからなる壁体１０と、壁体１０に吊り込んで開口部Ｓを開閉する引戸１１と、壁体１０の上部に懸架して引戸１１を開閉方向にスライド自在に吊持する引戸レール（図示省略）と、引戸１１の下部を横振れしないように案内する本発明の引戸ガイド装置Ｇを備える。
【００１７】
引戸１１は、例えば戸厚が30〜35ｍｍの矩形な木製パネルからなり、下端面には、長さ方向にガイド溝１２を凹設し、ガイド溝１２に、溝形状に合わせて断面コ形をなす細長い補強部材１３を嵌着している。図中符号１４は、引戸１１の引手である。
【００１８】
本発明の引戸ガイド装置Ｇは、この引戸１１の下端面に凹設した上記ガイド溝１２と、ガイド溝１２に係合して引戸１１を振れ止めする走行ガイド１５とで構成する。走行ガイド１５は、ガイド本体２０と、弾性当接材３０・３１とからなる。
【００１９】
ガイド本体２０は、図２でも示すように、アングル板３５と、ガイド軸４０と、締着用ビス１９とで構成する。
【００２０】
アングル板３５は、金属板をＬ状に曲げ成形し、取付板部３５ａと、取付板部３５ａの下端縁から直角に突出したガイド板部３５ｂとからなる。ガイド板部３５ｂは、先端縁から基端縁に向けて長さ方向に２本の切り込みを平行に設けて、その切り込み間の中央片２１にアジャスト穴２９を設け、中央片２１を間に挟んだ幅方向両側の側片４５・５０の双方を直角に曲げ起し、それらを戸当り４５・５０として突設してなる。アジャスト穴２９は、２つの第１軸受穴２９ａと第２軸受穴２９ｂをガイド板部３５ｂの突出方向に連設し、それら軸受穴２９ａ・２９ｂを互いに連通させて形成する。個々の軸受穴２９ａ・２９ｂは、ガイド軸４０の基端軸部３６ａの形状に合わせて回り止めの◇形の穴からなっている。
【００２１】
ガイド軸４０は、支柱３６と樹脂製のガイドローラ３７とからなる。支柱３６は、基端側が断面◇形の回り止め形状をなす基端軸部３６ａと、先端側の枢軸部３６ｂと、両軸部３６ａ・３６ｂ間で一段拡径な本体の抜け止め筒部３６ｃとからなる。基端軸部３６ａには、その端面中心に締着用ビス１９をねじ込む雌ねじ穴が螺設されている。そして、ガイド軸４０は、枢軸部３６ｂをガイドローラ３７に貫挿して軸突端３６ｄをＯリングに嵌合させてから、軸突端をカシメてガイドローラ３７を回転可能に軸着する。
【００２２】
ガイド本体２０は、このガイド軸４０を立てて、支柱３６の基端軸部３６ａをアングル板３５のアジャスト穴２９の第１軸受穴２９ａに嵌挿し、基端軸部３６ａの雌ねじ穴に締着用ビス１９をねじ込み、図３、図４および図５（Ａ）に示すように、ガイド板部３５ｂ上にガイド軸４０を立脚させて組み立てる。そこで、引戸ガイド装置Ｇは、走行ガイド１５で案内する引戸１１が、図６に示すように戸厚30〜35mmのパネルではなく、例えば図７に示すように36〜40mmと一段厚肉なパネルの場合は、ガイド軸４０の基端軸部３６ａをアングル板１５のアジャスト穴２９の第２軸受穴２９ｂに嵌着し、ガイド板部３５ｂ上の取付板部３５ａ寄りでガイド軸４０を立脚させて組み立て、引戸１１の戸厚に応じてガイド軸４０の立脚位置を、ガイド板部３５ｂの突出長さ方向、引戸１１の吊り込み状態で云えば、引戸１１がスライドする開閉方向と直交する方向に移動調整可能な構造になっている。従って、引戸１１の戸厚に応じてガイド軸４０の立脚位置を開閉方向と直交する向き移動調整することにより、引戸１１を戸袋壁１０ｃとの間のチリ寸法を、例えば4.5〜7mmの適切な範囲に保持して吊り込むことができる。
【００２３】
他方、走行ガイドＧの弾性当接材３０・３１は、図２に示すように、それぞれ弾性を有する樹脂製で、引戸１１のガイド溝１２に嵌め込み可能に溝形状に合わせて略直方形で、中心を細筒穴３２が高さ方向に貫通している。そこで、走行ガイド１５は、弾性当接材３０・３１を、引戸１１のガイド溝１２内の戸先側と戸尻側に固設する。図示例では、ガイド溝１２には、図１に示すように、引戸１１が全開したガイド本体２０の戸当り４５に当たる戸先側の戸当り位置に一方の弾性当接材３０を固定する一方、図８・図９に示すように、引戸１１が全閉したガイド本体２０の戸当り５０に当たる戸尻側の戸当り位置に他方の弾性当接材３１を固定し、互いに引戸１１の開閉ストローク分の間隔をあけてガイド溝１２内に固設する。そのとき、弾性当接材３０・３１は、それぞれ図２に示す止めねじ３３をねじ挿通管３４を介して細筒穴３２に通し、ガイド溝１２の底面にねじ込んで固着する。
【００２４】
さて、上述した構成の引戸ガイド装置Ｇは、引戸１１を吊り込むとき、走行ガイド１５のガイド本体２０を、図８および図９に示すように、全閉状態でも引戸１１が常に重なる戸袋壁１０ｃの下部に取り付ける。そこで、ガイド本体２０を戸袋壁１０ｃに取り付けるときは、床Ｆとの間に所定間隙を開ける引戸１１の最下端縁のラインに、アングル板３５のガイド板部３５ｂの位置を合わせ、その高さ位置で戸袋壁１０ｃに取付板部３５ａを縦向きに当接し、止めねじ４１をビス穴４２（図２参照）に通して戸袋壁１０ｃにねじ込みガイド本体２０を固定する。
【００２５】
次いで、上記引戸レールに引戸１１上に搭載した戸車を係合させて、引戸Ｄ１１を、開口部Ｓの奥行方向外側で戸袋壁１０ｃに重ねてスライド自在に上吊りする一方、ガイド溝１２に走行ガイド１５のガイドローラ３７を係合させて吊り込む。従って、引戸ガイド装置Ｇでは、この引戸１１の吊り込み状態において、全閉状態にあっても、走行ガイド１５のガイド本体２０が引戸１１に覆い重なって目隠しされ、弾性当接材３０・３１はガイド溝１２内に固設し、結局、戸当りに必要な見栄えの悪い出っ張りがいっさい外部から見えない構成であるため、従来のように戸当りの出っ張りが室内の美的外観を阻害することがなく、引戸周りの見栄えを良好にすることができる。
【００２６】
そこで、引手１４に手を掛け、いま全閉状態ある引戸１１を開方向Ｘにスライドさせて開口部Ｓを開いたとき、走行ガイド１５のガイドローラ３７がガイド溝１２に係合して下部側を横振れさせることなく直進するように案内し、開口部Ｓを開放して全開すると、図１に示すように、走行ガイド１５は、戸先側の弾性当接材３０がガイド本体２０の戸先側戸当り４５に当たって引戸１１を停止し、開口部Ｓが全開した開位置に位置決めする。一方、引戸１１を閉方向Ｙにスライドさせて開口部Ｓを閉じるときも、走行ガイド１５のガイドローラ３７がガイド溝１２に係合して下部側を横振れさせることなく直進するように案内し、開口部Ｓを閉止してから全閉すると、図８・図９に示すように、戸尻側の弾性当接材３１がガイド本体２０の戸尻側戸当り５０に当たって引戸１１を停止し、開口部Ｓが全閉した閉位置に位置決めする。
【００２７】
従って、引戸ガイド装置Ｇは、上述のように引戸１１が常に覆い重なる戸袋壁１０ｃの下部に取り付けた走行ガイド１５のガイドローラ３７で引戸１１の下部側が横振れしないように案内しながら、ガイド本体２０に突設した戸当り４５・５０にガイド溝１２内に固設した弾性当接材３０・３１に当てて引戸１１の開閉ストロークを所定長さに制御し、これにより、引戸周りの見栄えを悪化させることなく、戸当り機能をも併せて発揮することができる。
【００２８】
上記図示実施の形態において、走行ガイド１５のガイド本体２０には、アングル板３５のガイド板部３５ｂにおける幅方向両側の双方に戸当り４５・５０を突設し、これに対応し、弾性当接材３０・３１を、引戸１１のガイド溝１２内の戸先側と戸尻側の双方に固設し、開時と閉時のいずれも、戸当り４５・５０に弾性当接材３０・３１が当って引戸１１を停止させる構成であった。従って、走行ガイド１５を、そのようにアングル板３５のガイド板部３５ｂにおける幅方向両側の双方に戸当り４５・５０を突設し、弾性当接材３０・３１をガイド溝１２に固設した構成であるため、扉が図示のように右勝手仕様の引戸（図中右側に引いて開く引戸）であっても、反対に左勝手仕様の引戸であっても、同じ走行ガイド１５を、そのまま兼用することができる。しかし、本発明は、これに限らず、ガイド本体には、アングル板のガイド板部の両側縁のいずれか一方に戸当りを突設し、これに対応し、弾性当接材を、引戸のガイド溝内の戸先側と戸尻側のいずれか一方に固設し、開時又は閉時に戸当りに弾性当接材が当って引戸を停止させるようにしてもよい。
【００２９】
ところで、本発明の引戸ガイド装置Ｇは、例えば図１０に示すように、連動引戸２２の構造体にも適用することができる。図示他の実施の形態では、上記図示実施の形態における構成と同一の構成に同じ符号を付して、以下に説明する。
【００３０】
連動引戸構造体は、それぞれ下端部にガイド溝１２・５５を長さ方向に凹設した外扉Ａと内扉Ｂからなる連動引戸２２を、開閉方向にスライド自在に引戸レールに上吊りし、全開時は、戸袋壁１０ｃの横に重ねて配列すると共に、開閉時に外扉Ａと内扉Ｂの下部を横振れしないように案内する引戸ガイド装置Ｇ´を備えた構造になっている。
【００３１】
図示他例の引戸ガイド装置Ｇ´は、連動引戸２２の外扉Ａと内扉Ｂの下端面に凹設した上記ガイド溝１２・５５と、外扉Ａのガイド溝１２に係合して外扉Ａを案内する走行ガイド１５と、内扉Ｂのガイド溝５５に係合して内扉Ｂを案内する振れ止めガイド６０を備える。外扉Ａの走行ガイド１５は、上述のとおり、ガイド本体２０と、ガイド溝１２内の戸先側と戸尻側に固設する弾性当接材３０・３１とからなる。ガイド本体２０は、全閉位置にある外扉Ａが常に重なる内扉Ｂの戸先側下部に取り付ける。ガイド本体２０を内扉Ｂに取り付けるときは、床Ｆとの間に所定間隙を開ける内扉Ｂの最下端縁のラインに、アングル板３５のガイド板部３５ｂの位置を合わせて、その高さ位置で内扉Ｂの外側板面に取付板部３５ａをねじ止めする。
【００３２】
ガイド本体２０は、ガイド軸４０の基端軸部３６ａをアングル板３５のアジャスト穴２９の第１軸受穴２９ａに嵌着し、ガイド板部３５ｂ上にガイド軸４０を立脚させて組み立てる。そこで、図示他例の引戸ガイド装置Ｇ´は、走行ガイド１５で案内する外扉Ａが、例えば扉厚30〜35mmのパネルではなく、36〜40mmと一段厚肉なパネルの場合は、ガイド軸４０の基端軸部３６ａをアングル板３５のアジャスト穴２９の第２軸受穴２９ｂに嵌着し、ガイド板部３５ｂ上の取付板部３５ａ寄りでガイド軸４０を立脚させて組み立て、外扉Ａの扉厚に応じてガイド軸４０の立脚位置を、ガイド板部３５ｂの突出長さ方向、引戸の吊り込み状態で云えば、外扉Ａがスライドする開閉方向と直交する方向に移動調整可能な構造になっている。従って、外扉Ａの扉厚に応じてガイド軸４０の立脚位置を開閉方向と直交する向き移動調整することにより、外扉Ａを内扉Ｂとの間のチリ寸法を、例えば4.5〜7mmの適切な範囲に保持して吊り込むことができる。
【００３３】
他方、走行ガイドＧの弾性当接材３０・３１は、外扉Ａのガイド溝５５内の戸先側と戸尻側に固設するが、図示例では、図１０に示すように、連動引戸２２が全開したときガイド本体２０の戸当り４５に当たる戸先側の戸当り位置に一方の弾性当接材３０を固定する一方、図１４に示すように、連動引戸２２が全閉したときガイド本体２０の戸当り５０に当たる戸尻側の戸当り位置に他方の弾性当接材３１を固定し、互いに外扉Ａの開閉ストローク分の間隔をあけて固設する。
【００３４】
内扉Ｂの振れ止めガイド６０は、図１３に示すように、取付板５１上に立設した支軸５２の上端にガイドローラ６５を回転自在に軸着し、取付板５１を開口部Ｓ寄りの床Ｆ上にあって内扉Ｂのスライド軌道上に固設する。
【００３５】
図示他例では、図１４に示すように、外扉Ａと内扉Ｂにそれぞれ搭載した戸車６９を引戸レール７０に係合し、外扉Ａと内扉Ｂを戸袋壁１０ｃの横に重ねてスライド自在に上吊りする一方、外扉Ａのガイド溝１２に走行ガイド１５のガイドローラ３７を係合し、内扉Ｂのガイド溝５５に振れ止めガイド６０のガイドローラ６５を係合させて吊設する。
【００３６】
そこで、上述した構成の引戸ガイド装置Ｇ´は、閉時、外扉Ａの引手１４に手を掛け、いま全開状態ある連動引戸２２の外扉Ａを閉方向Ｙにスライドさせると、図１１に示すように、ガイド溝１２に係合した走行ガイド１５のガイドローラ３７で下部側が横振れしないで直進するように案内する。それから、外扉Ａが閉方向に直進する途中で、図１２に示すように、戸尻側の弾性当接材３１がガイド本体２０の戸尻側戸当り５０に当たり、外扉Ａが内扉Ｂを引き連れて閉方向に共にスライドする。そのとき、内扉Ｂは、図１３に示すように、ガイド溝２２に係合した振れ止めガイド６０のガイドローラ６５で下部側を横振れしないで直進するように案内する。その後、連動引戸２２で開口部Ｓを閉止してから全閉すると、外扉Ａは、図１４に示すように、戸先側端部が戸先側の縦枠部１０ｂに当って停止すると同時に、内扉Ｂは、上端面に搭載した戸車６９の支持ブラケット５９が引戸レール７０のレール溝内に固設した戸当り７５に当って停止し、連動引戸２２を、開口部Ｓが全閉した閉位置に位置決めする。
【００３７】
一方、閉時は、引手１４に手を掛け、全閉状態ある連動引戸２２の外扉Ａを開方向Ｘにスライドさせると、図１５に示すように、ガイド溝１２に係合した走行ガイド１５のガイドローラ３７で下部側が横振れしないで直進するように案内する。それから、外扉Ａが開方向に直進する途中で、図１６に示すように、戸先側の弾性当接材３０がガイド本体２０の戸先側の戸当り４５に当たり、外扉Ａが内扉Ｂを押しながら開方向へと共にスライドする。そのとき、内扉Ｂは、図１７に示すように、ガイド溝２２に係合した振れ止めガイド６０のガイドローラ６５で下部側を横振れしないで直進するように案内する。その後、連動引戸２２で開口部Ｓを開けて全開させると、図１０に示すように、内扉Ｂは、戸尻側端部が戸尻側の縦枠部１０ｄに当って停止し、外扉Ａは、戸先側の弾性当接材３０がガイド本体２０の戸先側の戸当り４５に押し当った状態で停止し、外扉Ａと内扉Ｂを戸袋壁１０ｃの横に重ねて配列し、連動引戸２２を開口部Ｓが全開した開位置に位置決めする。
【００３８】
従って、図示他例の引戸ガイド装置Ｇ´では、連動引戸２２の吊り込み状態において、連動引戸２２が全閉状態にあっても、走行ガイド１５のガイド本体２０は外扉Ａに覆い重なって目隠しされ、弾性当接材３０・３１はガイド溝１２内に固設し、連動機構や戸当りに必要な見栄えの悪い出っ張りがいっさい外部から見えない構成であるため、従来のように戸当りの出っ張りが室内の美的外観を阻害することがなく、連動式の引戸周りの見栄えを良好にすることができる。
【符号の説明】
【００３９】
Ａ              外扉
Ｂ              内扉
Ｆ              床
Ｇ・Ｇ´        引戸ガイド装置
Ｓ              開口部
１１            引戸
１２・５５      ガイド溝
１５            走行ガイド
２０            ガイド本体
２２            連動引戸
２９            アジャスト穴
２９ａ・２９ｂ  軸受穴
３０・３１      弾性当接材
３５            アングル板
３５ａ          取付板部
３５ｂ          ガイド板部
３７            ガイドローラ
４０            ガイド軸
４５・５０      戸当り
【図１】
2012246719.tif 000003
【図２】
2012246719.tif 000004
【図３】
2012246719.tif 000005
【図４】
2012246719.tif 000006
【図５】
2012246719.tif 000007
【図６】
2012246719.tif 000008
【図７】
2012246719.tif 000009
【図８】
2012246719.tif 000010
【図９】
2012246719.tif 000011
【図１０】
2012246719.tif 000012
【図１１】
2012246719.tif 000013
【図１２】
2012246719.tif 000014
【図１３】
2012246719.tif 000015
【図１４】
2012246719.tif 000016
【図１５】
2012246719.tif 000017
【図１６】
2012246719.tif 000018
【図１７】
2012246719.tif 000019